(57)【要約】【課題】カビの発生等を抑えることができるようにした洗面所空調機を提供する。【解決手段】洗面所空調機１は、ファン部４とヒータ部５とルーバー６を有し、温風及び送風等を吹き出す空調ユニット２を備える。ファン部４は、ファンケース８にイオン発生器３を備える。イオン発生器３は、正イオン及び負イオンを発生し、ファンケース８内に放出する。イオン発生器３で略同数の正イオンと負イオンをファンケース８内に放出し、ルーバー６を上下に往復回転動作させると、ファン部４による空気の流れによって、ルーバー６から正イオンと負イオンの双方を含む送風が洗面所全体に吹き出される。これにより、部屋全体において空気中の浮遊細菌を不活化して、カビの発生を抑えることができる。【選択図】        図１
2006090647.tif 000002
【特許請求の範囲】
【請求項１】
洗面所に設置される洗面所空調機において、
洗面所に空気を送風する送風手段と、
前記送風手段で送風される空気を加熱する加熱手段と、
正イオン及び負イオンを発生させ、前記送風手段で送風される空気にイオンを供給するイオン発生手段とを備えた
ことを特徴とする洗面所空調機。
【請求項２】
正イオン及び負イオンを発生させる正負イオン発生モードと、負イオンを発生させる負イオン発生モードを備え、前記イオン発生手段を制御して、前記正負イオン発生モードと前記負イオン発生モードを切り換える制御手段を備えた
ことを特徴とする請求項１記載の洗面所空調機。
【請求項３】
空気の吹き出し方向を可変にする風向可変手段を備え、前記制御手段は、前記イオン発生モードに基づいて前記風向可変手段を制御するようにした
ことを特徴とする請求項２記載の洗面所空調機。
【請求項４】
前記制御手段は、前記送風手段及び前記加熱手段を制御して送風を吹き出す涼風モードと、温風を吹き出す暖房モードを備え、
前記涼風モード及び前記暖房モードと、前記正負イオン発生モード及び前記負イオン発生モードを、選択的に連動させるようにした
ことを特徴とする請求項２または３記載の洗面所空調機。
【請求項５】
前記制御手段は、前記涼風モードと前記正負イオン発生モードを連動させると共に、前記暖房モードと前記負イオン発生モードを連動させるようにした
ことを特徴とする請求項４記載の洗面所空調機。
【請求項６】
前記制御手段は、前記涼風モードと前記正負イオン発生モードを連動させ、空気の吹き出し方向を可変とすると共に、前記暖房モードと前記負イオン発生モードを連動させ、空気の吹き出し方向を一定に保持するようにした
ことを特徴とする請求項４記載の洗面所空調機。
【請求項７】
運転モードを設定する操作手段を備え、前記涼風モード及び前記暖房モードと、前記正負イオン発生モード及び前記負イオン発生モードの連動の有無を選択できるようにした
ことを特徴とする請求項４，５または６記載の洗面所空調機。
【発明の詳細な説明】
【技術分野】
【０００１】
本発明は、洗面所の壁面等に取り付けられ、送風及び暖房を行う洗面所空調機に関し、特に、正イオンと負イオンの双方を供給できるようにした洗面所空調機に関するものである。
【背景技術】
【０００２】
従来より、洗面所の壁面等に取り付けられ、送風や温風等を吹き出して、洗面所内の温度調整等を行う洗面所空調機が提案されている。このような洗面所空調機として、リフレッシュ効果があると言われている負（マイナス）イオンを発生するイオン発生器を備えた空調機が提案されている（例えば、特許文献１参照）。
【０００３】
負イオンを発生するイオン発生器を備えた洗面所空調機では、ファンの風路中に負イオンを供給することで、負イオンを含む空気が洗面所内に吹き出され、洗面所内におけるリフレッシュ効果を得ることができると言われている。
【０００４】
【特許文献１】特開２００４−１４４３０６号公報
【発明の開示】
【発明が解決しようとする課題】
【０００５】
洗面所は一般的に浴室に隣接するため、湿度が高くカビが発生しやすい環境である。このため、洗面所空調機を設置して洗面所内に送風を行うと、カビの発生を多少は抑えることができる。
【０００６】
しかし、単に送風を行っても、カビの発生を確実に抑えることはできないという問題がある。また、負イオンを含む空気を送風しても、カビの発生を抑えることはできないという問題がある。
【０００７】
本発明は、このような課題を解決するためになされたもので、カビの発生等を抑えることができるようにした洗面所空調機を提供することを目的とする。
【課題を解決するための手段】
【０００８】
上述した課題を解決するため、請求項１の発明は、洗面所に設置される洗面所空調機において、洗面所に空気を送風する送風手段と、送風手段で送風される空気を加熱する加熱手段と、正イオン及び負イオンを発生させ、送風手段で送風される空気にイオンを供給するイオン発生手段とを備えたことを特徴とする。
【０００９】
請求項２の発明は、正イオン及び負イオンを発生させる正負イオン発生モードと、負イオンを発生させる負イオン発生モードを備え、イオン発生手段を制御して、正負イオン発生モードと負イオン発生モードを切り換える制御手段を備えたことを特徴とする。
【００１０】
請求項３の発明は、空気の吹き出し方向を可変にする風向可変手段を備え、制御手段は、イオン発生モードに基づいて風向可変手段を制御するようにしたことを特徴とする。
【００１１】
請求項４の発明は、制御手段は、送風手段及び加熱手段を制御して送風を吹き出す涼風モードと、温風を吹き出す暖房モードを備え、涼風モード及び暖房モードと、正負イオン発生モード及び負イオン発生モードを、選択的に連動させるようにしたことを特徴とする。
【００１２】
請求項５の発明は、制御手段は、涼風モードと正負イオン発生モードを連動させると共に、暖房モードと負イオン発生モードを連動させるようにしたことを特徴とする。
【００１３】
請求項６の発明は、制御手段は、涼風モードと正負イオン発生モードを連動させ、空気の吹き出し方向を可変とすると共に、暖房モードと負イオン発生モードを連動させ、空気の吹き出し方向を一定に保持するようにしたことを特徴とする。
【００１４】
請求項７の発明は、運転モードを設定する操作手段を備え、涼風モード及び暖房モードと、正負イオン発生モード及び負イオン発生モードの連動の有無を選択できるようにしたことを特徴とする。
【発明の効果】
【００１５】
本発明に係る洗面所空調機によれば、イオン発生手段で正イオンと負イオンを発生させ、送風手段で送風される空気にイオンを供給することで、略同数の正イオンと負イオンを含む空気が洗面所空間内に供給される。
【００１６】
これにより、洗面所空間内においてカビ菌等の浮遊細菌を不活性化して除去することができ、洗面所の壁面や天井、洗面所にある衣類等にカビが発生することを確実に防ぐことができる。従って、洗面所の快適性が向上する。
【発明を実施するための最良の形態】
【００１７】
以下、図面を参照して本発明の洗面所空調機の実施の形態について説明する。
【００１８】
＜洗面所空調機の構成の概要＞
図１は本実施の形態の洗面所空調機１の内部構成の一例を示す正面図、図２は本実施の形態の洗面所空調機１の設置例を示す斜視図、図３は本実施の形態の洗面所空調機１の制御系の一例を示す機能ブロック図である。
【００１９】
本実施の形態の洗面所空調機１は、図２に示すように、洗面所５１の例えば壁面５２に設置される。洗面所空調機１は、送風及び温風を吹き出す空調ユニット２にイオン発生器３を備え、正イオンと負イオンの双方を含む空気を洗面所５１の空間内に供給できるようにしたものである。
【００２０】
＜洗面所空調機の構成の詳細＞
図４は本実施の形態の洗面所空調機１の構成の一例を示す分解斜視図、図５は本実施の形態の洗面所空調機１の構成の一例を示す外観斜視図、図６は図１のＡ−Ａ線断面図、図７は図１のＢ−Ｂ線断面図であり、図１〜図７を参照して洗面所空調機１の構成の詳細を説明する。
【００２１】
空調ユニット２はファン部４とヒータ部５とルーバー６を備える。ファン部４はシロッコファンで送風手段を構成し、ファンモータ４ａに回転駆動される多翼の羽根車（ファン）７と、風路を形成するファンケース８を備える。ファンケース８は、羽根車７の軸方向に沿った面を開口して形成される吸込口８ａと、羽根車７の接線方向に沿った部位を開口して形成される吹出口８ｂとを備える。
【００２２】
イオン発生器３はイオン発生手段を構成し、ファン部４のファンケース８に取り付けられる。イオン発生器３は、イオンを発生する図示しない放電面がファンケース８の内部に露出するように取り付けられ、ファン部４によって形成される風路中にイオンが供給される。
【００２３】
イオン発生器３は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００２４】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで不活化することができる。ここで、・ＯＨは活性種の１種であり、ラジカルのＯＨを示している。
【００２５】
これにより、略同数の正イオンと負イオンを発生させる正負イオン発生モードを備えて、略同数の正イオンと負イオンを含む空気を送風することで、空気中の浮遊細菌を不活化して、カビの発生を抑えることができる。
【００２６】
また、負イオンのみもしくは負イオンを正イオンより多く発生させるような負イオン発生モードを備えて、負イオンを含む空気を送風すると、精神を安定させ、呼吸器の機能を高める等のリラックス効果があると言われている。
【００２７】
ヒータ部５は加熱手段を構成し、ファンケース８の吹出口８ｂに取り付けられ、本例では、図６に示すように、第１のＰＴＣヒータ５ａと第２のＰＴＣヒータ５ｂを左右に並べて構成される。第１のＰＴＣヒータ５ａは、ファンケース８の吹出口８ｂに接続された第１の風路９ａに備えられ、第２のＰＴＣヒータ５ｂは、吹出口８ｂに接続された第２の風路９ｂに備えられる。
【００２８】
ここで、第１のＰＴＣヒータ５ａと第２のＰＴＣヒータ５ｂは、正極性のサーミスター特性を有するヒータで、温度が上昇すると抵抗値が上昇し、これにより消費する電流が制御されると共に温度上昇が緩やかになり、その後、消費電流及び発熱部の温度が、飽和領域に達して安定していくものであり、自己温度制御を行う。
【００２９】
このように、ＰＴＣヒータでは、ヒータの温度が上昇すると消費電流が低くなり、その後一定温度の飽和領域に達すると、消費電流が低い値で安定する特性があるために、これを用いることにより、消費電力の節約ができるとともに、発熱体の温度の異常上昇を防止可能であるという利点がある。
【００３０】
ルーバー６は風向可変手段を構成し、ヒータ部５を介してファンケース８の吹出口８ｂに取り付けられる。ルーバー６は、図７に示すように、ヒータ部５を介してファンケース８の吹出口８ｂと接続されるハウジング１０ａと、ハウジング１０ａに軸支され、上下方向に回動して空気の吹き出し方向を切り換える吹出口１０ｂと、吹出口１０ｂの内側に回転可能に取り付けられ、左右方向に空気の吹き出し方向を切り換える複数の風向板１０ｃを備える。
【００３１】
また、ルーバー６は、図１に示すように、吹出口１０ｂを回転駆動するルーバモータ１０ｄを備える。ルーバモータ１０ｄはステッピングモータで、図示しない軸を支点に、吹出口１０ｂを図７に示す矢印ａ１，ａ２方向に往復動作させる。また、吹出口１０ｂを所定の位置で停止させる。
【００３２】
洗面所空調機１は、図４に示すように本体ケース１１に空調ユニット２が取り付けられ、本体ケース１１の前面にフロントパネル１２が取り付けられる。そして、本体ケース１１の側面を覆う化粧パネル１３を着脱自在に備えて、化粧パネル１３の装着の有無で、１種類の洗面所空調機１を、図７（ａ）に示すように壁面５２に掛ける取付形態と、図７（ｂ）に示すように壁面５２に埋め込む取付形態の双方に使用できるようになっている。
【００３３】
本体ケース１１は、例えば金属板で構成され、背面板１１ａと４枚の側面板１１ｂを備えた箱状で、前面に開口部１４が形成される。また、本体ケース１１は開口部１４の外周に側面板１１ｂから連続してフランジ部１５が形成される。
【００３４】
フランジ部１５は複数の取付穴１５ａを備える。取付穴１５ａは、洗面所空調機１を壁面５２に埋め込む取付形態では本体取付部として機能し、洗面所空調機１を壁面５２に掛ける取付形態ではパネル取付部として機能する。
【００３５】
すなわち、図７（ａ）に示すように、洗面所空調機１を壁面５２に掛ける取付形態では、フランジ部１５の取付穴１５ａを使用して、ネジ１６ａにより化粧パネル１３がフランジ部１５に固定される。また、図７（ｂ）に示すように、洗面所空調機１を壁面５２に埋め込む取付形態では、化粧パネル１３を非装着とし、フランジ部１５の取付穴１５ａを使用して、ネジ１６ｂにより洗面所空調機１が壁面５２の開口部に固定される。
【００３６】
本体ケース１１は、背面板１１ａにシャーシ１７が取り付けられる。シャーシ１７は例えばプラスチック材で構成され、図７に示すように、背面板１１ａまで貫通した本体取付穴１７ａを備える。本体取付穴１７ａは本体取付部を構成し、図７（ａ）に示すように、洗面所空調機１を壁面５２に掛ける取付形態では、本体取付穴１７ａを使用して、ネジ１８により洗面所空調機１が壁面５２に固定される。
【００３７】
シャーシ１７は、本体ケース１１にフロントパネル１２を固定するフロントパネル取付部１７ｂを備える。また、シャーシ１７は回路基板１９の取付部を備える。更に、シャーシ１７には空調ユニット２が取り付けられる。
【００３８】
フロントパネル１２は、本体ケース１１の開口部１４に取り付けられる。フロントパネル１２は、空調ユニット２のルーバー６が露出する開口部２１ａと、ファン部４の吸込口８ａと対向する部位に形成される吸込口２１ｂと、吸込口２１ｂの裏面側にフィルタ１２ａを着脱自在に取り付けるフィルタ取付部２１ｃと、本体ケース１１のフロントパネル取付部１７ｂにフロントパネル１２を取り付けるためのフロントパネル取付穴２１ｄを備える。
【００３９】
化粧パネル１３は、本体ケース１１が嵌る開口部１３ａを有して、本体ケース１１の周囲四側面を覆う枠状で、化粧パネル１３の外形は、フロントパネル１２の外形と略同形に構成される。
【００４０】
また、化粧パネル１３は前面にフランジ受け面２２を備え、フランジ受け面２２にネジ穴２２ａと位置決め突起２２ｂを備える。更に、化粧パネル１３は裏面に補強リブ２３を備える。
【００４１】
ネジ穴２２ａは、本体ケース１１のフランジ部１５の取付穴１５ａに対応した箇所に形成される。位置決め突起２２ｂは、例えばフランジ受け面２２の辺部に沿った直線状のリブが、フランジ受け面２２に突出形成される。
【００４２】
本体ケース１１に化粧パネル１３を取り付けるため、フランジ受け面２２に本体ケース１１のフランジ部１５が載置されると、位置決め突起２２ｂの内周側にフランジ部１５の外周側が当接して、本体ケース１１に対する化粧パネル１３の位置決めが行われる。
【００４３】
また、化粧パネル１３が取り付けられた本体ケース１１にフロントパネル１２を取り付けると、位置決め突起２２ｂの外周側にフロントパネル１２の内周面が当接して、化粧パネル１３に対するフロントパネル１２の位置決めが行われる。
【００４４】
このように、本体ケース１１のフランジ部１５の外形は、フロントパネル１２及び化粧パネル１３の外形より小さく、本体ケース１１にフロントパネル１２を取り付けると、フランジ部１５はフロントパネル１２の内側に入り、フロントパネル１２の側面には露出しない。
【００４５】
なお、フロントパネル１２は、ネジ２４をフロントパネル取付穴２１ｄに通してフロントパネル取付部１７ｂに締結することで、本体ケース１１に固定される。そして、フロントパネル１２が本体ケース１１に固定されると、図５に示すようにルーバー６がフロントパネル１２の開口部２１ａから露出する。また、図６に示すようにファン部４の吸込口８ａとフロントパネル１２の吸込口２１ｂが対向する。
【００４６】
補強リブ２３は、化粧パネル１３の内面から内向きに突出する板状部材を複数箇所に形成したもので、補強リブ２３が本体ケース１１の側面板１１ｂに当接して、化粧パネル１３の変形を防ぐ。
【００４７】
次に、図３を用いて本実施の形態の洗面所空調機１の制御系の構成について説明する。洗面所空調機１は、ＣＰＵ等で構成される制御部３１を図１等に示す回路基板１９に備え、制御部３１に、操作部３２と、ファンモータ４ａと、第１のＰＴＣヒータ５ａ及び第２のＰＴＣヒータ５ｂと、イオン発生器３と、ルーバモータ１０ｄ等が接続される。
【００４８】
制御部３１は制御手段を構成し、洗面所空調機１の運転モードとして、送風を吹き出す涼風モードと、温風を吹き出す暖房モードを備える。また、イオンを発生するイオン発生モードを備え、イオン発生モードとして、正イオンと負イオンの双方を発生する正負イオン発生モードと、負イオンを発生する負イオン発生モードを備える。なお、正負イオン発生モードは除菌イオンモードとも称され、負イオン発生モードはマイナスイオンモードとも称される。
【００４９】
これら運転モードは、利用者が操作部３２を操作することで選択され、制御部３１は、操作部３２での操作に応じてファンモータ４ａ、第１のＰＴＣヒータ５ａ、第２のＰＴＣヒータ５ｂ、イオン発生器３及びルーバモータ１０ｄ等を制御する。
【００５０】
操作部３２は操作手段を構成し、例えば洗面所空調機１本体と独立したリモートコントロール装置で、図２に示すように、洗面所空調機１が設置される洗面所５１の壁面５２に取り付けられる。
【００５１】
図８は操作部３２の一例を示す構成図である。操作部３２は表示部３３と、各種操作ボタン等を備える。操作ボタンとしては、涼風モードを選択する涼風モードボタン３４と、暖房モードを選択する暖房モードボタン３５ａを備える。なお、暖房モードとして短時間で室内を暖める運転を行うための強暖房モードボタン３５ｂを備えても良い。
【００５２】
また、イオン発生モードとして、正負イオン発生モードと負イオン発生モードを選択するイオンモード選択ボタン３６を備える。更に、正負イオン発生モードと負イオン発生モードの何れが選択されているか示すランプ３７を備える。
【００５３】
また、涼風モード及び暖房モードと、イオン発生モードを連動させるイオンモード連動ボタン３８を備える。更に、所定の時間に運転を開始する等の設定を行うタイマボタン３９を備える。
【００５４】
イオンモード連動ボタン３８を選択せずに、暖房モードボタン３５ａ、強暖房モードボタン３５ｂ、あるいは涼風モードボタン３４を押した場合においては、イオンを発生させずに、各運転モードで運転を行うようになっており、イオンモード連動ボタン３８が各運転モードでイオンを発生するか否かの選択ボタンとなっている。
【００５５】
また、運転モードがイオン連動かどうかを表示する表示灯（ランプ）３８ａが設けられている。表示灯３８ａは例えばＬＥＤ（発光ダイオード）であり、連動させるイオン発生モードが正負イオンを発生する除菌モードでは例えば赤色に点灯し、負イオンを発生するマイナスイオンモードでは青色に点灯するようになっており、発生しているイオンの種類が判るようになっている。
【００５６】
更に、イオン連動運転モード中にイオンの発生を停止したい場合においては、再度イオンモード連動ボタン３８を選択し、イオン発生を解除できるようになっている。
【００５７】
＜洗面所空調機の動作＞
次に、洗面所空調機１の動作について説明する。図９は運転モードと各部の動作の組み合わせパターンの一例である。
【００５８】
この表に記載のファン風量については、各運転モード毎にファンモータ４ａの回転数が、強、標準、弱から選択可能に設定されており、選択された運転モードに応じた風量になるようになっている。
【００５９】
イオン発生については、各運転モード毎にマイナスイオン（負）、除菌イオン（正負）、イオン発生無（無）から選択可能に設定されている。なお、運転モードによって、選択できるイオンの種類（正負、負、無）は異なって設定されている。
【００６０】
また、第１のＰＴＣヒータ５ａ及び第２のＰＴＣヒータ５ｂについても、各運転モード毎に作動と非作動の選択及び温度選択が可能に設定され、ルーバー６についても、運転モードに応じて、固定する場合と上下に往復作動（スイング）する場合とに設定されている。
【００６１】
図８に示す操作部３２で暖房モードボタン３５ａが押されると、制御部３１は暖房モードが選択されたと判断して、ファンモータ４ａと第１のＰＴＣヒータ５ａ及び第２のＰＴＣヒータ５ｂを駆動する。
【００６２】
ファンモータ４ａが駆動されると、図６に示す羽根車７が回転することで、図５等に示すフロントパネル１２の吸込口２１ｂを通して、ファン部４の吸込口８ａから室内の空気が吸い込まれ、ファンケース８によってルーバー６へと空気が流れる。
【００６３】
第１のＰＴＣヒータ５ａ及び第２のＰＴＣヒータ５ｂが駆動され通電されると、ファン部４から吹き出した空気が加温され、ルーバー６から温風が吹き出される。これにより、暖房モードでは冬場等に洗面所５１を暖めることができる。
【００６４】
図８に示す操作部３２で暖房モードボタン３５ａとイオンモード連動ボタン３８が押されると、制御部３１は、上述した暖房モードの制御に加えて、イオン発生器３を駆動して、例えば負イオンを発生させる。これにより、負イオンがファンケース８内に放出され、ファン部４による空気の流れによって、ルーバー６から負イオンを含む温風が吹き出される。
【００６５】
従って、暖房モードと負イオン発生モードを連動させることで、洗面所５１内の温度が快適な温度に上がり、リラックス効果が得られる。なお、負イオン発生モードでは、負イオンのみを発生させても良いし、正イオンに対して負イオンを多く発生させても良い。
【００６６】
また、短時間で洗面所５１内を暖める場合等で、強暖房モードボタン３５ｂが押された場合は、制御部３１は、第１のＰＴＣヒータ５ａ及び第２のＰＴＣヒータ５ｂの通電量を多くする等によって、温風の温度を上げたり、ファンモータ４ａで風量を増やす。そして、温度検出あるいは時間によって、通常の暖房モードに戻す制御を行う。
【００６７】
図８に示す操作部３２で涼風モードボタン３４が押されると、制御部３１は涼風モードが選択されたと判断して、ファンモータ４ａとルーバモータ１０ｄを駆動する。ファンモータ４ａが駆動されると、羽根車７が回転することで、フロントパネル１２の吸込口２１ｂを通して、ファン部４の吸込口８ａから室内の空気が吸い込まれ、ファンケース８によってルーバー６へと空気が流れる。
【００６８】
ルーバモータ１０ｄが駆動されると、図７に示す吹出口１０ｂが上下方向に往復回転動作する。これにより、ルーバー６から洗面所５１全体に送風が吹き出される。
【００６９】
涼風モードでは、第１のＰＴＣヒータ５ａ及び第２のＰＴＣヒータ５ｂに通電を行わないことで、ファン部４から吹き出した空気は加温されず、室内の温度に応じた送風がルーバー６から吹き出される。従って、涼風モードでは夏場等に洗面所空調機１を扇風機として使用できる。
【００７０】
図８に示す操作部３２で涼風モードボタン３４とイオンモード連動ボタン３８が押されると、制御部３１は、上述した涼風モードの制御に加えて、イオン発生器３を駆動して、例えば負イオンを発生させる。これにより、負イオンがファンケース８内に放出され、ファン部４による空気の流れによって、ルーバー６から負イオンを含む送風が吹き出される。
【００７１】
従って、涼風モードと負イオン発生モードを連動させることで、負イオンによるリラックス効果が得られる。なお、涼風モードと正負イオン発生モードを連動させても良い。
【００７２】
図８に示す操作部３２でイオンモード選択ボタン３６が押され、除菌イオンモードが選択されると、制御部３１はファンモータ４ａとルーバモータ１０ｄとイオン発生器３を駆動する。ファンモータ４ａが駆動されると、羽根車７が回転することで、フロントパネル１２の吸込口２１ｂを通して、ファン部４の吸込口８ａから室内の空気が吸い込まれ、ファンケース８によってルーバー６へと空気が流れる。なお、除菌イオンモードでは、第１のＰＴＣヒータ５ａ及び第２のＰＴＣヒータ５ｂに通電を行わない。
【００７３】
ルーバモータ１０ｄが駆動されると、図７に示す吹出口１０ｂが上下方向に往復回転動作する。また、イオン発生器３が駆動されると、ここでは略同数の正イオンと負イオンの双方がファンケース８内に放出される。図１０はイオン発生モード時の空気の流れを示す説明図で、除菌イオンモードでは、ファン部４による空気の流れによって、図１０（ａ）に示すように、ルーバー６から正イオンと負イオンの双方を含む送風が洗面所５１全体に吹き出される。
【００７４】
従って、除菌イオンモードでは、部屋全体に正イオン及び負イオンの双方を含む空気が送風されるので、空気中の浮遊細菌を不活化して、カビの発生を抑えることができる。また、除菌イオンモードでは送風を吹き出すことで、室内の湿度が下がり、カビの防止により効果的である。
【００７５】
なお、本例のルーバー６は左右の空気の吹き出し方向は手動で変更する構成であるが、左右方向の風向も電動で変更できる構成としても良い。そして、除菌イオンモードで上下左右に送風を行うことで、より広範囲に正イオン及び負イオンの双方を含む送風を行うことができる。
【００７６】
図８に示す操作部３２でイオンモード選択ボタン３６が押され、マイナスイオンモードが選択されると、制御部３１はファンモータ４ａとイオン発生器３を駆動する。ファンモータ４ａが駆動されると、羽根車７が回転することで、フロントパネル１２の吸込口２１ｂを通して、ファン部４の吸込口８ａから室内の空気が吸い込まれ、ファンケース８によってルーバー６へと空気が流れる。
【００７７】
なお、マイナスイオンモードでは、第１のＰＴＣヒータ５ａ及び第２のＰＴＣヒータ５ｂに通電を行わない。また、マイナスイオンモードでは、ルーバモータ１０ｄの駆動は行わず、風向を一定に保持する。
【００７８】
イオン発生器３が駆動されると、ここでは負イオンがファンケース８内に放出される。これにより、マイナスイオン発生モードでは、ファン部４による空気の流れによって、図１０（ｂ）に示すように、ルーバー６から負イオンを含む送風が一定の向きで吹き出される。従って、マイナスイオンモードでは、夏場等は送風により体を冷やすと共に、負イオンによるリラックス効果が得られる。
【００７９】
なお、暖房モードの他の例として、入浴中暖房モードを設けて、人の有無と連動して、洗面所５１の温度等を制御することも可能である。例えば、洗面所５１に隣接する浴室５３に人感センサ５４を備え、人感センサ５４が人を検出すると、洗面所５１に人が居なくなったと判断して、制御部３１は、ファンモータ４ａの回転数を下げたり、第１のＰＴＣヒータ５ａ及び第２のＰＴＣヒータ５ｂへの通電量を下げる等によって、室温を制御する。なお、人の有無の判断は、浴室５３の照明スイッチの操作によって判断しても良い。また、入浴中暖房モードを選択するため、操作部３２に入浴中暖房モードボタンを設けるようにしても良い。
【００８０】
また、他の運転モードとしては、例えばドライヤモードを備えても良い。ドライヤモードでは、制御部３１は、例えばマイナスイオンモードでファンモータ４ａの回転数を上げ、マイナスイオンモード時より風量を多くする。また、ルーバー６は、送風が人の頭に当たるような一定の向きで固定される。更に、送風か温風かを選択できるようにしても良い。これにより、負イオンを含む送風あるいは温風で、短時間で髪を乾かすことができる。
【００８１】
なお、運転モードとして図９に記載のものは一例であり、これに限られるものではない。例えば、入浴中暖房モードを設けずに、ファンモータ４ａの回転速度を標準と強の２速としても良い。
【産業上の利用可能性】
【００８２】
本発明は、洗面所の壁面等に設置され、送風と温風を吹き出す空調機に適用される。
【図面の簡単な説明】
【００８３】
【図１】本実施の形態の洗面所空調機の内部構成の一例を示す正面図である。
【図２】本実施の形態の洗面所空調機の設置例を示す斜視図である。
【図３】本実施の形態の洗面所空調機の制御系の一例を示す機能ブロック図である。
【図４】本実施の形態の洗面所空調機の構成の一例を示す分解斜視図である。
【図５】本実施の形態の洗面所空調機の構成の一例を示す外観斜視図である。
【図６】図１のＡ−Ａ線断面図である。
【図７】図１のＢ−Ｂ線断面図である。
【図８】操作部の一例を示す構成図である。
【図９】運転モードと各部の動作の組み合わせパターンの一例である。
【図１０】イオン発生モード時の空気の流れを示す説明図である、
【符号の説明】
【００８４】
１・・・洗面所空調機、２・・・空調ユニット、３・・・イオン発生器、４・・・ファン部、４ａ・・・ファンモータ、５・・・ヒータ部、５ａ・・・第１のＰＴＣヒータ、５ｂ・・・第２のＰＴＣヒータ、６・・・ルーバー、７・・・羽根車、８・・・ファンケース、８ａ・・・吸込口、８ｂ・・・吹出口、９ａ・・・第１の風路、９ｂ・・・第２の風路、１０ａ・・・ハウジング、１０ｂ・・・吹出口、１０ｃ・・・風向板、１０ｄ・・・ルーバモータ、１１・・・本体ケース、１１ａ・・・背面板、１１ｂ・・・側面板、１２・・・フロントパネル、１２ａ・・・フィルタ、１３・・・化粧パネル、１３ａ・・・開口部、１４・・・開口部、１５・・・フランジ部、１５ａ・・・取付穴、１６ａ，１６ｂ・・・ネジ、１７・・・シャーシ、１７ａ・・・本体取付穴、１７ｂ・・・フロントパネル取付部、１８・・・ネジ、１９・・・回路基板、２１ａ・・・開口部、２１ｂ・・・吸込口、２１ｃ・・・フィルタ取付部、２１ｄ・・・フロントパネル取付穴、２２・・・フランジ受け面、２２ａ・・・ネジ穴、２２ｂ・・・位置決め突起、２３・・・補強リブ、２４・・・ネジ、３１・・・制御部、３２・・・操作部、３３・・・表示部、３４・・・涼風モードボタン、３５ａ・・・暖房モードボタン、３５ｂ・・・強暖房モードボタン、３６・・・イオンモード選択ボタン、３７・・・ランプ、３８・・・イオンモード連動ボタン、３９・・・タイマボタン、５１・・・洗面所、５２・・・壁面、５２ａ・・・開口部
【図１】
2006090647.tif 000003
【図２】
2006090647.tif 000004
【図３】
2006090647.tif 000005
【図４】
2006090647.tif 000006
【図５】
2006090647.tif 000007
【図６】
2006090647.tif 000008
【図７】
2006090647.tif 000009
【図８】
2006090647.tif 000010
【図９】
2006090647.tif 000011
【図１０】
2006090647.tif 000012